(57)【要約】【課題】  本発明は、左右方向に広げることにより、内紙片を３角形状に立体化させること可能な、新聞等への折り込み用チラシとして利用できる印刷物及びその製造方法を提供することである。【解決手段】  長方形状の外紙片と、外紙片より長辺の長さが短い長方形状の内紙片を、外紙片と内紙片の長辺の中央を一致させて重ね合わせて、内紙片の長辺の長さの１／４より長い距離だけ内紙片の両端から中央に寄った位置にて外紙片と内紙片を接着して、長辺の中央にて内紙片を内側にして折り曲げ、折り曲げた内紙片の対向する端縁間を接着し、接着部をミシン目により切り離し可能とした印刷物及びその製造方法である。【選択図】        図１
2005035217.tif 000002
【特許請求の範囲】
【請求項１】
長方形状の外紙片と、前記外紙片より長辺の長さが短い長方形状の内紙片を、外紙片と内紙片の長辺の中央を一致させて重ね合わせ、内紙片の長辺の長さの１／４より長い距離だけ内紙片の両端から中央側の位置にて外紙片と内紙片を接着し、外紙片と内紙片の長辺の中央にて短辺に平行に内紙片を内側にして折り曲げ、折り曲げた内紙片の対向する端縁部を端縁接着部にて接着した構成からなることを特徴とする印刷物。
【請求項２】
前記内紙片の端縁接着部の内側に端縁接着部に平行にミシン目を形成した構成からなることを特徴とする請求項１記載の印刷物。
【請求項３】
前記内紙片の長辺の中央に短辺に平行にミシン目を形成した構成からなることを特徴とする請求項１または２記載の印刷物。
【請求項４】
２台の輪転印刷機を使用し、一方の輪転印刷機にて外紙片用連続用紙に、他方の輪転印刷機にて外紙片用連続用紙より狭巾の内紙片用連続用紙に、それぞれ同一ピッチの所定の絵柄を印刷する工程と、外紙片用連続用紙と内紙片用連続用紙を巾方向の中央を揃えて重ね合わせ、内紙片用連続用紙の巾の１／４より長い距離だけ内紙片の両端から中央側の位置にてそれぞれ外紙片用連続用紙と内紙片用連続用紙を接着する工程と、外紙片用連続用紙と内紙片用連続用紙を巾方向の中央にて内紙片用連続用紙を内側にして流れに平行方向に折り曲げる工程と、折り曲げられた内紙片用連続用紙の端縁部を接着する工程と、連続用紙を所定位置にて流れに直角方向に断裁する工程と、断裁した連続用紙を流れ方向の中央にて流れに直角方向に２つ折りする工程と、２つ折りした折目部を化粧断ちする工程からなることを特徴とする印刷物の製造方法。
【請求項５】
前記内紙片用連続用紙の両端縁部に端縁から所定距離だけ内側の位置にそれぞれ流れに平行にミシン目を形成する工程を有することを特徴とする請求項４記載の印刷物の製造方法。
【請求項６】
前記内紙片用連続用紙の巾方向の中央に流れに平行方向にミシン目を形成する工程を有することを特徴とする請求項４または５記載の印刷物の製造方法。
【発明の詳細な説明】
【技術分野】
【０００１】
本発明は、左右方向に広げることにより、内紙片を３角形状に立体化させることが可能な新聞等への折り込み用チラシとして使用できる印刷物に関する。
【背景技術】
【０００２】
従来、飛び出し絵付き印刷物としては、家や人などの形状に切り抜かれたものが開閉運動により立体的に出入りするものが子供用の絵本等に用いられており、また、コンパクトディスク用ケースにおいて、台紙２のパネル６とパネル７の２面にまたがり貼設した起伏部１５を、その折れ線１６から１８０度開閉することによって起伏部１５が起立したり倒れたりする構成のものが知られている（例えば、特許文献１、参照）。しかしながら、これらの飛び出し絵付き印刷物は、特殊な形状に打ち抜いたり、特殊な形状に打ち抜いた紙片を貼設して構成されるものであり、製造工程が煩雑となり簡単な工程で製造できないという欠点を有している。
【特許文献１】特開平９−１１８３４１号公報（〔００１２〕）
【発明の開示】
【発明が解決しようとする課題】
【０００３】
本発明は、左右方向に広げることにより、内紙片を３角形状に立体化させることができる、新聞等への折り込み用チラシとして使用した際に顧客に対する訴求効果の優れた印刷物及びその製造方法を提供することである。
【課題を解決するための手段】
【０００４】
長方形状の外紙片と、前記外紙片より長辺の長さが短い長方形状の内紙片を、外紙片と内紙片の長辺の中央を一致させて重ね合わせ、内紙片の長辺の長さの１／４より長い距離だけ内紙片の両端から中央側の位置にて外紙片と内紙片を接着し、外紙片と内紙片の長辺の中央にて短辺に平行に内紙片を内側にして折り曲げ、折り曲げた内紙片の対向する端縁部を端縁接着部にて接着した構成からなる印刷物である。
【０００５】
上記の印刷物において、前記内紙片の端縁接着部の内側に端縁接着部に平行にミシン目を形成した構成の印刷物である。
【０００６】
上記の印刷物において、前記内紙片の長辺の中央に短辺に平行にミシン目を形成した構成の印刷物である。
【０００７】
２台の輪転印刷機を使用し、一方の輪転印刷機にて外紙片用連続用紙に、他方の輪転印刷機にて外紙片用連続用紙より狭巾の内紙片用連続用紙に、それぞれ同一ピッチの所定の絵柄を印刷する工程と、外紙片用連続用紙と内紙片用連続用紙を巾方向の中央を揃えて重ね合わせ、内紙片用連続用紙の巾の１／４より長い距離だけ内紙片の両端から中央側の位置にてそれぞれ外紙片用連続用紙と内紙片用連続用紙を接着する工程と、外紙片用連続用紙と内紙片用連続用紙を巾方向の中央にて内紙片用連続用紙を内側にして流れに平行方向に折り曲げる工程と、折り曲げられた内紙片用連続用紙の端縁部を接着する工程と、連続用紙を所定位置にて流れに直角方向に断裁する工程と、断裁した連続用紙を流れ方向の中央にて流れに直角方向に２つ折りする工程と、２つ折りした折目部を化粧断ちする工程からなることを特徴とする印刷物の製造方法デアル。
【０００８】
上記の印刷物の製造方法において、前記内紙片用連続用紙の両端縁部に端縁から所定距離だけ内側の位置にそれぞれ流れに平行にミシン目を形成する工程を有する印刷物の製造方法である。
【０００９】
上記の印刷物の製造方法において、前記内紙片用連続用紙の巾方向の中央に流れに平行方向にミシン目を形成する工程を有する印刷物の製造方法である。
【発明の効果】
【００１０】
本発明の印刷物は、左右方向に広げることにより、内紙片を３角形状に立体化させることができるとともに、内紙片の接着された端縁部をミシン目にて切り取ることにより内紙片を見開くことができるので、３角形状に立体化させた内紙片の外面に建物の立地や外観等を印刷しておき、内紙片の内面に建物の内部の構造等を印刷しておくことにより、顧客に対する訴求効果の優れたチラシ等として使用することができるものである。
【００１１】
また、内紙片の端縁接着部の内側に端縁接着部に平行にミシン目を形成することより、端縁接着部をミシン目にて切り取れるので、３角形状に立体化させた内紙片を見開くのが容易となる。
【００１２】
更に、内紙片の長辺の中央に短辺に平行にミシン目を形成することにより、ミシン目にて内紙片を切り開いて、内紙片と外紙片の対向する面に印刷された隠蔽情報を見ることができる。
【００１３】
本発明の印刷物の製造方法とすることにより、外紙片を左右方向に広げて内紙片を３角形状に立体化させ、内紙片の端縁部をミシン目にて切り取って見開き内紙片の内面に印刷された情報を見ることのできるとともに、内紙片をミシン目にて切り開いて内紙片と外紙片の対向する面に印刷された隠蔽情報を見ることができる印刷物を効率的に低コストで製造することができる。
【発明を実施するための最良の形態】
【００１４】
以下、図面を引用して本発明の実施の形態を説明する。
図１は本発明の第１実施形態の半開き状態の斜視図、図２は第１実施形態の開いた状態の斜視図、図３は第１実施形態の印刷物を開き内紙片の端縁接着部を切取って開いた斜視図、図４は第２実施形態の開いた状態の斜視図、図５は第２実施形態の印刷物を開き内紙片の端縁接着部を切取って開いた斜視図、図６は第１実施形態の印刷物の製造途中における外紙片用連続用紙と内紙片用連続用紙を重ねて接着した状態を示す平面図、図７は図６に示す状態から外紙片用連続用紙と内紙片用連続用紙を左右方向の中央で内紙片用連続用紙を内側にして折り曲げ対向する内紙片用連続用紙の端縁同志を接着した状態を示す平面図、図８は図７に示す状態から流れに直角方向の断裁線にて断裁し流れ方向に２つ折した状態の平面図であり、１は外紙片、1a, 1bは紙片、２は内紙片、2a，2b，2c, 2dは紙片、3,8 はミシン目、４は端縁接着部、5a，5bは接着部、6a，6bは折目線、７は中央折目線、９は断裁線、10は仕上げ断裁線、Ａは外紙片連続用紙、Ｂは内紙片連続用紙を表す。
【００１５】
本発明の第１実施形態の印刷物は、半開き状態の斜視図が図１に示されているとおりであり、紙片1aと紙片1bからなる長方形状の外紙片１と、紙片2aと紙片2bと紙片2cと紙片2dからなり外紙片１より長辺の長さが短く且つ短辺の長さが等しい長方形状の内紙片２を、内紙片２の両側端部、即ち、内紙片２を構成する紙片2aと紙片2dの端縁部に、端縁から所定距離だけ内側の位置に短辺に平行にそれぞれミシン目３を形成して、外紙片１と内紙片２の長辺の中央を一致させて揃えて重ね合わせ、内紙片２の長辺の長さの１／４より長い所定距離だけ内紙片２の両側端から中央側の位置にて短辺に平行な接着部5a及び接着部5bにて外紙片１と内紙片２を接着し、外紙片１と内紙片２の長辺の中央の中央折目線７にて内紙片２を内側にして短辺に平行に折り曲げ、折り曲げた内紙片２の対向する側端部間を内紙片２の側端とミシン目４間の端縁接着部４にて接着した構成である。
【００１６】
第１実施形態の印刷物の開いた状態の斜視図は図２に示すとおりであって、広げられた紙片1aと紙片1bからなる長方形状の外紙片１の中央部に、内紙片２を構成する紙片2bと紙片2cを底辺とし紙片2aと紙片2dをそれぞれ斜辺とする３角形状に突出した状態となり、突出した紙片2aと紙片2dの頂部が端縁接着部４にて接着され、端縁接着部４の内側に端縁接着部４を切り取るミシン目３が形成されている。例えば、３角形状に突出して立体化した紙片2aと紙片2dの外面に、住宅、アパート、マンション等の外観や立地を印刷した住宅、アパート、マンション等の販売用チラシとすると、顧客に対する訴求効果の優れたものとなる。
【００１７】
第１実施形態の印刷物を図２に示すように開いた後に、内紙片２の紙片2aと紙片2dの頂部の端縁接着部４をミシン目３にて切り取ると、図３に示すとおりとなり、紙片2aと紙片2bと紙片2cと紙片2dからなる内紙片２の内面に印刷された絵柄を見ることができる。したがって、３角形状に立体化する内紙片２の紙片2aと紙片2dの内側に、住宅、アパート、マンション等の内部の構造等を印刷しておくと、外観や立地と対比して内部の構造を確認できるのできわめて販売促進効果を有するチラシとすることができる。
【００１８】
本発明の第２実施形態の印刷物の開いた状態の斜視図は図４に示すとおりである。第２実施形態は、内紙片２の中央折目線７に沿って紙片2bと紙片2c間を引き裂くためのミシン目８が形成されている点で異なる以外は、基本的には第１実施形態と同一である。
【００１９】
第２実施形態の場合は、印刷物の開いて内紙片２の端縁接着部４をミシン目３にて切り取った後に、内紙片２の中央折目線７に沿って形成されているミシン目３に沿って紙片2bと紙片2c間を引き裂いて、図５に示すように、左右方向に開けることにより、外紙片１の内紙片２の紙片2bと紙片2cに対向する面及び紙片2bと紙片2cの内面に印刷されている隠蔽情報を見ることができるので、隠蔽情報として、例えば、照明，壁紙，家具等の部屋の内装の仕様を印刷しておくことにより、きわめて販売促進効果の優れたチラシとして使用することができる。
【００２０】
第１実施形態の印刷物の製造方法の概略は下記の通りである。２台の輪転印刷機を使用し、一方の輪転印刷機にて外紙片用連続用紙Ａに、他方の輪転印刷機にて外紙片用連続用紙より巾の狭い内紙片用連続用紙Ｂに、それぞれ同一ピッチの所定の絵柄を印刷した後に、内紙片用連続用紙Ｂの両端縁部に端縁から所定距離だけ内側の位置にそれぞれ流れに平行にミシン目を形成し、外紙片用連続用紙Ａと内紙片用連続用紙Ｂを巾方向の中央を揃えるとともに絵柄ピッチが合うように重ね合わせ、内紙片用連続用紙Ｂの巾の１／４より長い距離だけ内紙片用連続用紙Ｂの両端から内側の位置にて外紙片用連続用紙Ａと内紙片用連続用紙Ｂを接着部6a及び接着部6bにてそれぞれ接着して、図６に示す状態とする。
【００２１】
図６に示す状態から、外紙片用連続用紙Ａと内紙片用連続用紙Ｂを巾方向の中央の中央折目線７にて内紙片用連続用紙Ｂを内側にして流れに平行方向に折り曲げて、折り曲げられた内紙片用連続用紙Ｂの対向する端縁部間をミシン目３の外側の接着部４にて接着して、図７に示す状態とする。次いで、折り曲げて接着した外紙片用連続用紙Ａと内紙片用連続用紙Ｂを断裁線９にて流れと直角方向に断裁し、断裁した用紙を流れ方向の中央の折目線11にて流れに直角方向に２つ折りして、図８に示す状態とする。最後に、図８に示す状態から、折目線11に沿った仕上げ断裁線10にて折目部を化粧断ちすることにより、第１実施形態の印刷物が得られる。上記の印刷物の製造方法を採用することにより、汎用の印刷機を使用して効率よく低コストで印刷物を製造することができる。
【００２２】
第２実施形態の印刷物の製造方法は、内紙片用連続用紙Ｂの巾方向の中央に流れに平行方向にミシン目８を形成する工程が付加される以外は、基本的には第１実施形態の製造方法と同じである。
【産業上の利用可能性】
【００２３】
本発明の印刷物は、左右方向に広げることにより、内紙片を３角形状に立体化させることができる内紙片の外面に、住宅、アパート、マンション等の建物の立地や外観を印刷しておき、内紙片の内面に、立地や外観が印刷された住宅、アパート、マンション等の内部の構造を印刷しておくことにより、住宅、アパート、マンション等の立地や外観と内部の構造を対比しながら見ることのできる、顧客に対する訴求効果及び宣伝効果の優れたチラシとして有効に利用することができる。
【図面の簡単な説明】
【００２４】
【図１】本発明の第１実施形態の半開き状態の斜視図。
【図２】第１実施形態の開いた状態の斜視図。
【図３】第１実施形態の印刷物を開き内紙片の端縁接着部を切取って開いた斜視図。
【図４】第２実施形態の開いた状態の斜視図。
【図５】第２実施形態の印刷物を開き内紙片の端縁接着部を切取って開いた斜視図。
【図６】第１実施形態の印刷物の製造途中における外紙片用連続用紙と内紙片用連続用紙を重ねて接着した状態を示す平面図。
【図７】図６に示す状態から外紙片用連続用紙と内紙片用連続用紙を左右方向の中央で内紙片用連続用紙を内側にして折り曲げ対向する内紙片用連続用紙の端縁同志を接着した状態を示す平面図。
【図８】図７に示す状態から流れに直角方向の断裁線にて断裁し流れ方向に２つ折した状態の平面図。
【符号の説明】
【００２５】
１  外紙片
1a，1b  紙片
２  内紙片
2a，2b，2c, 2d  紙片
３，８  ミシン目
４  端縁接着部
5a，5b  接着部
6a，6b  折目線
７  中央折目線
９  断裁線
10  仕上げ断裁線
Ａ  外紙片連続用紙
Ｂ  内紙片連続用紙
【図１】
2005035217.tif 000003
【図２】
2005035217.tif 000004
【図３】
2005035217.tif 000005
【図４】
2005035217.tif 000006
【図５】
2005035217.tif 000007
【図６】
2005035217.tif 000008
【図７】
2005035217.tif 000009
【図８】
2005035217.tif 000010